(57)【要約】【課題】乾燥運転中の排水トラップ切れをなくして、衣類等を効率よく乾燥させる。【解決手段】水槽２内の洗濯水を機外へ排出する排水路１４に設けた排水手段１３より下流側に設けた排水トラップ１７と、排水トラップ１７の入口側と出口側を連通接続したバイパス路１８を開閉する開閉手段１９と、水槽２に過剰に供給された水を機外へ排出する溢水路２０と、水槽２と空気循環可能に接続した送風路２６を通して水槽２へ送風する送風手段３０と、水槽２から出た乾燥用空気を除湿する除湿手段２８と、除湿された乾燥用空気を加熱する加熱手段２９と、乾燥用空気に含まれるリントを捕捉するリント捕捉手段２７とを備え、水槽２内の圧力が排水トラップ１７の水を押し流す圧力より低く設定した所定値に上昇したとき、水槽２内の乾燥用空気をバイパス路１８を通して排水トラップ１７下流側の排水路１４へ排気するようにしたものである。【選択図】図１
2016202526.tif 000002
【特許請求の範囲】
【請求項１】
筐体内に弾性支持した水槽と、
前記水槽内に回転可能に設けた回転槽と、
前記回転槽を回転駆動するモータと、
前記水槽内の洗濯水を機外へ排出する排水路と、
前記排水路に設けた排水手段と、
前記排水手段より下流側の前記排水路に設けた排水トラップと、
前記排水トラップの入口側と出口側を連通接続したバイパス路と、
前記バイパス路を開閉する開閉手段と、
前記水槽と空気循環可能に接続した送風路と、
前記送風路を通して前記水槽へ送風する送風手段と、
前記水槽から出た乾燥用空気を除湿する除湿手段と、
前記除湿手段によって除湿された乾燥用空気を加熱する加熱手段と、
乾燥用空気に含まれるリントを捕捉するリント捕捉手段と、を備え、
前記水槽内の圧力が上昇して前記排水トラップの水を押し流す前に、前記開閉手段が開かれ前記水槽内の乾燥用空気を前記バイパス路を通して前記排水トラップ下流側の前記排水路へ排気するようにした
洗濯乾燥機。
【請求項２】
前記水槽内の圧力が前記排水トラップの水を押し流す圧力より低く設定した所定値に上昇したとき、前記水槽内の乾燥用空気を前記バイパス路を通して前記排水トラップ下流側の前記排水路へ排気するようにした
請求項１記載の洗濯乾燥機。
【請求項３】
前記溢水路は、
前記排水トラップの上流側で前記排水路と連通接続し、
前記溢水路と前記排水路との接続部と前記排水トラップ間に前記バイパス路の入口側を接続した
請求項１または２に記載の洗濯乾燥機。
【請求項４】
前記開閉手段は、
前記バイパス路を閉じる方向に付勢された常閉弁で構成し、
前記水槽内の圧力が前記排水トラップの水を押し流す圧力より低く設定した所定値に上昇したとき、前記開閉手段の付勢力に抗して前記バイパス路を開くようにした
請求項１〜３のいずれか１項に記載の洗濯乾燥機。
【発明の詳細な説明】
【技術分野】
【０００１】
本発明は、衣類等の洗濯と乾燥が行える洗濯乾燥機に関するものである。
【背景技術】
【０００２】
従来、この種の洗濯乾燥機は、水槽内の洗濯水を機外へ排出する排水路に排水トラップを設けて水封し、機外の排水管からの異臭が水槽内へ流入することを防止するのが一般的である（例えば、特許文献１参照）。
【０００３】
また、給水制御手段の故障等により、水槽内への給水が所定の水位を超えて過剰に行われた場合を考慮し、排水路を通して機外へ直接排水できるように、常時開放の溢水路が設けられるのが一般的である（例えば、特許文献２参照）。
【０００４】
また、洗濯した衣類等を続けて乾燥させる場合等の乾燥運転時は、回転槽内に乾燥した温風を供給し、衣類等との接触により衣類等から水分を奪って湿った乾燥用空気を冷却することで乾燥用空気から除湿水が発生し乾燥が進行する。発生した除湿水は、水槽に流入した後、洗濯水を排水する排水路を通して機外へ排出するのが一般的である（例えば、特許文献３参照）。
【０００５】
さらに、乾燥運転時は、衣類等からリントが発生して乾燥用空気に混入し、このリントが循環風路に設けた送風手段等に付着堆積するのを防止するため、循環風路の入口側にリントを捕捉するリントフィルタが設けられている。リントフィルタにリントが堆積した状態で乾燥運転を行うと、リントフィルタを通過する乾燥用空気の風量が減少する一方で、リントフィルタの下流側に設けた送風手段によって乾燥用空気は水槽内に送風され続けるため、水槽内の圧力が上昇して排水トラップに溜まっている水を加圧し、やがて、排水トラップに溜まっている水を押し流して水封が破られる。
【０００６】
乾燥運転後は、排水弁が閉じられるが、水槽内と排水路は常時開放の溢水路によって連通しているため、排水トラップの水封が破られると水槽内への異臭の流入を防止することができなくなるという問題があった。
【０００７】
そこで、乾燥運転中に排水トラップの水封が破られる、所謂トラップ切れを防止することが考えられている（例えば、特許文献４参照）。前記特許文献４に記載された洗濯乾燥機は、水槽内の圧力を検知する圧力検知手段を設け、乾燥運転時に水槽内の圧力が所定値に達すると、送風手段の回転数を低下させて水槽内の圧力の上昇を抑え、トラップ切れを防ぐようにしたものである。
【先行技術文献】
【特許文献】
【０００８】
【特許文献１】特開２００８−１１００８８号公報
【特許文献２】特開２００７−１３５８９７号公報
【特許文献３】特開２０１２−０７５５０６号公報
【特許文献４】特開２０１３−１１６２５４号公報
【発明の概要】
【発明が解決しようとする課題】
【０００９】
しかしながら、前記特許文献４に記載された従来の構成では、乾燥運転中にリントフィルタへのリントの堆積が進行すると水槽内の圧力が上昇し、水槽内の圧力が所定値に達すると、送風手段の回転数を低下させることで風量が減少し、乾燥時間が長くなるという問題があった。また、リントフィルタにリントが堆積した状態で乾燥運転が行われると、運転開始直後から水槽内の圧力が上昇し、所定の風量で効率よく乾燥させることができないという問題があった。
【００１０】
本発明は、前記従来の課題を解決するもので、乾燥運転中の排水トラップ切れをなくして、衣類等を効率よく乾燥させることができるようにした洗濯乾燥機を提供することを目的とする。
【課題を解決するための手段】
【００１１】
前記従来の課題を解決するために、本発明の洗濯乾燥機は、筐体内に弾性支持した水槽と、前記水槽内に回転可能に設けた回転槽と、前記回転槽を回転駆動するモータと、前記水槽内の洗濯水を機外へ排出する排水路と、前記排水路に設けた排水手段と、前記排水手段より下流側の前記排水路に設けた排水トラップと、前記排水トラップの入口側と出口側を連通接続したバイパス路と、前記バイパス路を開閉する開閉手段と、前記水槽と空気循環可能に接続した送風路と、前記送風路を通して前記水槽へ送風する送風手段と、前記水槽から出た乾燥用空気を除湿する除湿手段と、前記除湿手段によって除湿された乾燥用空気を加熱する加熱手段と、乾燥用空気に含まれるリントを捕捉するリント捕捉手段と、を備え、前記水槽内の圧力が上昇して前記排水トラップの水を押し流す前に、前記開閉手段が開かれ前記水槽内の乾燥用空気を前記バイパス路を通して前記排水トラップ下流側の前記排水路へ排気するようにしたものである。
【００１２】
これによって、乾燥運転中に排水トラップの水封を破ることなく排気して水槽内の圧力の上昇を抑えることができ、衣類等を効率よく乾燥させることができるとともに、乾燥運転後の水槽内への異臭の流入を防止することができる。
【発明の効果】
【００１３】
本発明の洗濯乾燥機は、水槽内の圧力の上昇を抑えて衣類等を効率よく乾燥させることができるとともに、排水路に設けた排水トラップの水封を維持し、乾燥運転後の水槽内への異臭の流入を防止することができる。
【図面の簡単な説明】
【００１４】
【図１】本発明の実施の形態１における洗濯乾燥機の構成図
【図２】同洗濯乾燥機のブロック構成図
【図３】同洗濯乾燥機の要部拡大図
【図４】同洗濯乾燥機の水槽内圧力上昇時の動作図
【図５】本発明の実施の形態２における洗濯乾燥機の要部拡大図
【図６】同洗濯乾燥機の水槽内圧力上昇時の動作図
【発明を実施するための形態】
【００１５】
第１の発明は、筐体内に弾性支持した水槽と、前記水槽内に回転可能に設けた回転槽と、前記回転槽を回転駆動するモータと、前記水槽内の洗濯水を機外へ排出する排水路と、前記排水路に設けた排水手段と、前記排水手段より下流側の前記排水路に設けた排水トラップと、前記排水トラップの入口側と出口側を連通接続したバイパス路と、前記バイパス路を開閉する開閉手段と、前記水槽と空気循環可能に接続した送風路と、前記送風路を通して前記水槽へ送風する送風手段と、前記水槽から出た乾燥用空気を除湿する除湿手段と、前記除湿手段によって除湿された乾燥用空気を加熱する加熱手段と、乾燥用空気に含まれるリントを捕捉するリント捕捉手段と、を備え、前記水槽内の圧力が上昇して前記排水トラップの水を押し流す前に、前記開閉手段が開かれ前記水槽内の乾燥用空気を前記バイパス路を通して前記排水トラップ下流側の前記排水路へ排気するようにしたことにより、乾燥運転中に排水トラップの水封を破ることなく排気して水槽内の圧力の上昇を抑えることができ、衣類等を効率よく乾燥させることができるとともに、乾燥運転後の水槽内への異臭の流入を防止することができる。
【００１６】
第２の発明は、特に、第１の発明において、前記水槽内の圧力が前記排水トラップの水を押し流す圧力より低く設定した所定値に上昇したとき、前記水槽内の乾燥用空気を前記バイパス路を通して前記排水トラップ下流側の前記排水路へ排気するようにしたことにより、乾燥運転中に排水トラップの水封を破ることなく排気して水槽内の圧力の上昇を抑えることができ、衣類等を効率よく乾燥させることができるとともに、乾燥運転後の水槽内への異臭の流入を防止することができる。
【００１７】
第３の発明は、特に、第１または第２の発明において、前記溢水路は、前記排水トラップの上流側で前記排水路と連通接続し、前記溢水路と前記排水路との接続部と前記排水トラップ間に前記バイパス路の入口側を接続したことにより、乾燥運転時に排水弁が閉じられる場合、または、開閉が行われる場合に、排水トラップに溜まっている水が溢水路を通して加圧されるのを防ぐことができ、排水トラップ切れを防止することができる。
【００１８】
第４の発明は、特に、第１〜第３のいずれかの発明において、前記開閉手段は、前記バイパス路を閉じる方向に付勢された常閉弁で構成し、前記水槽内の圧力が前記排水トラップの水を押し流す圧力より低く設定した所定値に上昇したとき、前記開閉手段の付勢力に抗して前記バイパス路を開くようにしたことにより、運転停止時の水槽内への異臭の流入を確実に防止することができる。
【００１９】
以下、本発明の実施の形態について、図面を参照しながら説明する。なお、この実施の形態によって本発明が限定されるものではない。
【００２０】
（実施の形態１）
図１は、本発明の第１の実施の形態における洗濯乾燥機の構成図、図２は、同洗濯乾燥機のブロック構成図、図３は、同洗濯乾燥機の要部拡大図、図４は、同洗濯乾燥機の水槽内圧力上昇時の動作図である。
【００２１】
図１〜図４において、筐体１内に弾性支持した有底円筒状の水槽２が設けられている。水槽２内には有底円筒状のドラム（回転槽）３が回転可能に設けられ、ドラム３の回転軸３ａは角度θ（例えば、５〜２０度）で前上がりに傾斜している。
【００２２】
ドラム３の内周側面には、回転軸３ａ方向であるドラム３の回転中心に向かって内方へ突出させた複数のバッフル４と、水槽２内と連通する多数の小孔５が設けられ、前面側には洗濯する衣類等の洗濯物および乾燥する衣類等の乾燥対象（以下、衣類等という）を出し入れする投入口６が設けられている。ドラム３の前面側には、ドラム３が回転する際に衣類等の偏り等によって発生する振動を低減するためのバランサ７を設け、投入口６を取り囲むように環状に形成している。
【００２３】
水槽２の後面にドラム３を回転駆動するモータ８が取り付けられている。モータ８は、ブラシレス直流モータで構成され、インバータ制御によって回転速度が自在に変化させることができるようになっている。
【００２４】
水槽２内に洗濯水を給水する給水弁（給水手段）９は、水道等に接続された給水配管１０に設けられている。洗濯水は、給水配管１０から洗剤を投入する洗剤ケース１１に流入して洗剤を溶かし、給水路１２を経て水槽２内に給水する。水槽２内の底部に溜まった洗濯水は小孔５からドラム３内に流入する。給水路１２の出口側はドラム３の後部で水槽２内と連通している。
【００２５】
水槽２内の洗濯水を機外へ排水する排水弁（排水手段）１３は、排水路１４に設けられている。排水時は、水槽２内の洗濯水が水槽２の底部に設けた排水口１５から排水路１４に流入し、排水弁１３を通して機外へ排出される。
【００２６】
衣類等から分離したリントや、釦等の異物を捕集する排水フィルタ１６を排水路１４に設け、排水口１５と排水弁１３との間に配設している。排水弁１３より下流側の排水路１４に略Ｕ状に形成した排水トラップ１７を設けている。
【００２７】
排水トラップ１７の入口側１７ａと出口側１７ｂを筒状のバイパス路１８で連通するように接続し、バイパス路１８の入口に開閉弁（開閉手段）１９を設けている。開閉弁１９は、バイパス路１８を閉じる方向に付勢された常閉弁で構成している。
【００２８】
水槽２内に過剰に供給された水を溢水口（図示せず）から流出させて機外へ排出する溢水路２０を水槽２の後方に設けている。溢水路２０の出口側を排水トラップ１７の上流側で、かつ、排水弁１３の下流側で排水路１４と連通接続し、排水トラップ１７の入口側１７ａと、溢水路２０と排水路１４の接続部２１との間にバイパス路１８の入口側を接続している。バイパス路１８の入口と出口は、排水トラップ１７に溜められる水面より上方に設けられている。
【００２９】
筐体１の前面には、衣類等を出し入れする略円形状の投入口６を開閉する扉２２が設けられている。投入口６と対向する水槽２の開口部２ａは、伸縮自在な可撓性のパッキン２３によって筐体１と気密にシール結合している。
【００３０】
円筒状に形成した水槽２の後部に乾燥用空気を供給する給気口２４を形成し、水槽２の前部にドラム３内の乾燥用空気を排気する排気口２５を設けている。給気口２４と排気口２５に送風路２６の両端を連結し、水槽２と空気循環可能に連通接続している。送風路２６は、水槽２の上方部に前後方向に配設している。
【００３１】
送風路２６には、乾燥用空気に含まれるリントを捕捉するリントフィルタ（リント捕捉手段）２７と、水槽２から出た乾燥用空気を冷却除湿する熱交換器（除湿手段）２８と、熱交換器２８によって除湿された乾いた乾燥用空気を加熱するヒータ（加熱手段）２９と、送風路２６を通して水槽２へ送風する電動ファンで構成した送風機（送風手段）３０を設けている。
【００３２】
ドラム３内で衣類等から水分を奪って排気口２５から出た乾燥用空気は、送風路２６を前方から後方へ矢印イ方向に流れ、リントフィルタ２７、熱交換器２８、ヒータ２９、送風機３０の順に通過し、給気口２４からドラム３内へと循環するように構成している。
【００３３】
熱交換器２８は、水冷式の場合注水弁２８ａから水を供給して乾燥用空気を冷却する。注水弁２８ａから供給した水および熱交換器２８で発生した除湿水は、除湿水排水路（図示せず）により水槽２を通して排水口１５から排水路１４に流入し、機外へ排出される。
【００３４】
リントフィルタ２７は、乾燥用空気に含まれる衣類等から発生した糸屑等のリントを捕捉し、熱交換器２８、ヒータ２９および送風機３０等へのリントの付着による不具合を防止するもので、脱着可能に設けている。
【００３５】
筐体１内の下方前部に設けた制御手段３１は、モータ８、給水弁９、排水弁１３、注水弁２８ａ、ヒータ２９、送風機３０等を制御し、洗い、すすぎ、脱水、乾燥の各工程を逐次制御する。
【００３６】
制御手段３１には、ドラム３内に投入された衣類等の量を検知する布量検知手段３２の出力と、水槽２内に給水された洗濯水の量を検知する水位検知手段３３の出力と、ドラム３の駆動を検知する回転検知手段３４等の出力が入力される。
【００３７】
以上のように構成された洗濯乾燥機について、以下その動作、作用を説明する。洗濯は、洗剤を溶解させた洗濯水を水槽２内に給水し、ドラム３の回転によって叩き洗いを行いながら衣類等の汚れを除去する洗い工程に続いて、中間脱水工程、すすぎ工程１、すすぎ工程２、最終脱水工程（脱水工程）の順に逐次実行される。また、乾燥は、前記洗濯の各工程に続けて実行することができ、また、乾燥工程のみ実行することも可能である。
【００３８】
まず、筐体１の前面に設けた開閉自在な扉２２を開いて投入口６からドラム３内に衣類等を投入し、筐体１の前面上部に設けた操作表示部３５の電源スイッチ（図示せず）を入れ、スタートスイッチ（図示せず）を操作して運転を開始する。
【００３９】
運転の開始により洗い工程が実行される。最初にドラム３内に投入された衣類等の量を布量検知手段３２によって検知する。衣類等の量は、ドラム３を回転駆動し、ドラム３の回転時にモータ８にかかるトルク量や、モータ８の電流値等から検知することができる。
【００４０】
制御手段３１は、検知した衣類等の量に応じて、洗い、すすぎ、脱水、乾燥等の各工程の時間を設定するとともに、衣類等の量に応じて設定された洗剤量を操作表示部３５に表示し、使用者は、操作表示部３５に表示された洗剤量の目安にしたがって洗剤を洗剤ケース１１に投入する。
【００４１】
洗い工程における給水は、開かれた給水弁９から給水配管１０を通って洗剤ケース１１に入った洗濯水は、洗剤ケース１１の中の洗剤を溶かしながら給水路１２を経て水槽２内に供給される。水槽２内の底部に溜まった洗濯水は、小孔５からドラム３内に流入する。このとき、排水弁１３および開閉弁１９は閉じられている。
【００４２】
水槽２内に溜まった洗濯水は、水位検知手段３３で検知され、衣類等の量に応じて予め設定された所定量の洗濯水が給水されると給水弁９が閉じられる。ドラム３は、モータ８によってドラム３内の衣類等が叩き洗いされる回転数、例えば、４５ｒｐｍで所定時間毎に交互に正逆回転駆動し、洗い工程を実行する。
【００４３】
叩き洗いは、衣類等がバッフル４によってドラム３の回転方向へ持ち上げられた後、ドラム３内の上部から落下し、ドラム３の底面あるいはドラム３の底部に留まっている衣類等に叩きつけられることにより、洗剤による化学力と併せて、その機械力によって洗浄が行われる。
【００４４】
洗い工程が終了すると水槽２内の洗濯水が排水される。洗濯水は、水槽２の底部に設けた排水口１５から排水路１４へ流出し、排水フィルタ１６を通過して開かれた排水弁１３を通り、排水トラップ１７から流れ出た水が機外へ排出される。排水トラップ１７には、排水時に一定量の水が溜まって排水路１４が水封される。また、排水フィルタ１６の通過時に、洗濯水に含まれるリントや異物が捕集される。
【００４５】
次に、中間脱水工程へと移行し、すすぎ工程１、すすぎ工程２、最終脱水工程の順に実行され、洗濯運転が終了する。洗濯に続けて乾燥運転が実行される場合は、送風機３０を駆動するとともにヒータ２９に通電し、所定の温度に加熱された温風が給気口２４からドラム３内に送風される。
【００４６】
ドラム３内で撹拌されている衣類等と接触して衣類等から水分を奪って排気口２５から送風路２６に出た乾燥用空気は、送風路２６を前方から後方へ矢印イ方向に流れ、リントフィルタ２７、熱交換器２８、ヒータ２９、送風機３０の順に通過し、給気口２４からドラム３内へと循環して衣類等の乾燥が進行する。熱交換器２８の冷却水および熱交換器２８で発生した除湿水は、排水口１５から排水路１４に流入し、開かれた排水弁１３を通して機外へ排出される。
【００４７】
乾燥工程では、衣類等から発生したリントが乾燥用空気に混入し、送風路２６の入口側に設けたリントフィルタ２７で捕捉される。リントフィルタ２７へのリントの堆積が進行すると、リントフィルタ２７を通過する乾燥用空気の風量が減少する。
【００４８】
一方、リントフィルタ２７の下流側に設けた送風機３０によって乾燥用空気は水槽２内へ送風され続けるため水槽２内の圧力が上昇し、除湿水を排出するために排水弁１３が開かれている排水路１４と、常時開放の溢水路２０を通して排水トラップ１７に溜まっている水を加圧する。
【００４９】
排水トラップ１７の入口側１７ａと出口側１７ｂをバイパス路１８で連通接続し、バイパス路１８の入口に常閉の開閉弁１９を設けている。この開閉弁１９は、水槽２内の圧力が排水トラップ１７に溜まった水を押し流す圧力より低く設定した所定値に上昇すると、排水トラップ１７の水が押し流される前に開閉弁１９をその付勢力に抗して変位させてバイパス路１８を開くようにしているため、水槽２内の乾燥用空気をバイパス路１８を通して排水トラップ１７の下流側の排水路１４へ排気し、水槽２内の圧力の上昇を抑えることができるようにしている。
【００５０】
なお、開閉弁１９は、バイパス路１８の中間部または出口に設けてもよく、また、回転軸を中心として回動自在に設け、上方または下方へ回動させるように構成するほか、可撓性を有する変形可能な弾性体で構成してもよい。要は、水槽２内の圧力が上記の所定値に上昇すると、バイパス路１８を開いて排気できるものであればよい。
【００５１】
以上のように、本実施の形態においては、筐体１内に弾性支持した水槽２と、水槽２内に回転可能に設けた回転槽３と、回転槽３を回転駆動するモータ８と、水槽２に洗濯水を供給する給水手段９と、水槽２内の洗濯水を機外へ排出する排水路１４と、排水路１４に設けた排水手段１３と、排水手段１３より下流側の排水路１４に設けた排水トラップ１７と、排水トラップ１７の入口側１７ａと出口側１７ｂを連通接続したバイパス１８路と、バイパス路１８を開閉する開閉手段１９と、水槽２に過剰に供給された水を機外へ排出する溢水路２０と、水槽２と空気循環可能に接続した送風路２６と、送風路２６を通して水槽２へ送風する送風手段３０と、水槽２から出た乾燥用空気を除湿する除湿手段２８と、除湿手段２８によって除湿された乾燥用空気を加熱する加熱手段２９と、乾燥用空気に含まれるリントを捕捉するリント捕捉手段２７と、洗い、すすぎ、脱水、乾燥の各工程を制御する制御手段３１とを備え、水槽２内の圧力が排水トラップ１７の水を押し流す圧力より低く設定した所定値に上昇したとき、水槽２内の乾燥用空気をバイパス路１８を通して排水トラップ１７下流側の排水路１４へ排気するようにしたものであり、乾燥運転中に、排水トラップ１７の水封を破ることなく排気して水槽２内の圧力の上昇を抑えることができ、衣類等を効率よく乾燥させることができるとともに、乾燥運転後の水槽２内への異臭の流入を防止することができる。
【００５２】
また、溢水路２０は、排水トラップ１７の上流側で排水路１４と連通接続し、溢水路２０と排水路１４との接続部２１と排水トラップ１７間にバイパス路１８の入口側を接続したものであり、乾燥運転時に排水弁１３が閉じられる場合、または、開閉が行われる場合に、排水トラップ１７に溜まっている水が溢水路２０を通して加圧されるのを防ぐことができ、排水トラップ切れを防止することができる。
【００５３】
また、開閉手段１９は、バイパス路１８を閉じる方向に付勢された常閉弁で構成し、水槽２内の圧力が排水トラップ１７の水を押し流す圧力より低く設定した所定値に上昇したとき、開閉手段１９の付勢力に抗してバイパス路１８を開くようにしたものであり、運転停止時の水槽２内への異臭の流入を確実に防止することができる。
【００５４】
なお、除湿手段２８および加熱手段２９は、ヒートポンプ装置の蒸発器で除湿手段２８を構成し、同凝縮器で加熱手段２９を構成してもよい。
【００５５】
（実施の形態２）
図５は、本発明の第２の実施の形態における洗濯乾燥機の要部拡大図、図６は、同洗濯乾燥機の水槽内圧力上昇時の動作図である。本実施の形態の特徴は、バイパス路１８の入口と出口に常閉の開閉弁（開閉手段）１９を設けたものである。他の構成は実施の形態１と同じであり、同一の構成に同一の符号を付して、詳細な説明は実施の形態１のものを援用する。
【００５６】
開閉弁１９は、水槽２内の圧力が排水トラップ１７に溜まった水を押し流す圧力より低く設定した所定値に上昇すると、バイパス路１８の入口に設けた開閉弁１９をその付勢力に抗して変位させた後、バイパス路１８の出口に設けた開閉弁１９を加圧し、その付勢力に抗して変位させてバイパス路１８を開くようにしている。
【００５７】
これにより、水槽２内の乾燥用空気をバイパス路１８を通して排水トラップ１７の下流側の排水路１４へ排気し、水槽２内の圧力の上昇を抑えることができるとともに、水槽２内への異臭の流入防止効果を高めることができる。
【００５８】
なお、開閉弁１９は、バイパス路１８の入口と出口に設けるほか、入口と中間、または、中間と出口に設けてもよく、所定の間隔を有してバイパス路１８に複数設けられていればよい。
【産業上の利用可能性】
【００５９】
以上のように、本発明にかかる洗濯乾燥機は、水槽内の圧力の上昇を抑えて衣類等を効率よく乾燥させることができるとともに、排水路に設けた排水トラップの水封を維持し、乾燥運転後の水槽内への異臭の流入を防止することができるので、洗濯乾燥機として有用である。
【符号の説明】
【００６０】
１    筐体
２    水槽
３    ドラム（回転槽）
８    モータ
９    給水弁（給水手段）
１３    排水弁（排水手段）
１４    排水路
１７    排水トラップ
１８    バイパス路
１９    開閉弁（開閉手段）
２０    溢水路
２６    送風路
２７    リントフィルタ（リント捕捉手段）
２８    熱交換器（除湿手段）
２９    ヒータ（加熱手段）
３０    送風機（送風手段）
３１    制御手段
【図１】
2016202526.tif 000003
【図２】
2016202526.tif 000004
【図３】
2016202526.tif 000005
【図４】
2016202526.tif 000006
【図５】
2016202526.tif 000007
【図６】
2016202526.tif 000008